(57)【特許請求の範囲】
【請求項１】
操作スイッチを備え，該操作スイッチが操作されると，その後一定時間（Ｔ）内に，信号を複数回送信するよう構成された無線式送信部からの送信信号を受信する無線式受信装置であって，
前記無線式送信部からの送信信号を受信するアンテナと，
前記アンテナからの受信信号を増幅する増幅部と，
前記増幅部にて増幅された信号を検波して処理する信号処理部と，
前記一定時間（Ｔ）よりも短い間隔（Ｔ１）で定期的にパルス信号を発生する信号発生部と，
前記信号処理部及び信号発生部に電源供給を行う電池と，
前記信号発生部から前記パルス信号が出力されている期間，ＯＮ状態となって，前記電池から前記増幅部への電源供給を実施させる間欠式電源供給部と，
を備え，前記信号発生部が発生するパルス信号の長さ（Ｔ２）を，無線式送信部から前記信号が２回送信される時間以上に設定してなることを特徴とする無線式受信装置。
【発明の詳細な説明】
【０００１】
【発明の属する技術分野】
本発明は、無線式受信装置に関し、詳しくは電池式の無線式受信装置の低消費電力化回路に関する。
【０００２】
【従来の技術】
従来の電池を使用した無線受信装置は、低消費電力化のためアンテナで受信した電波を増幅せず、そのまま検波していた。もしくはアンテナで受信した電波を常時増幅をおこない、検波していた。
【０００３】
【発明が解決しようとする課題】
しかし、アンテナで受信した電波を増幅せず、そのまま検波していた従来の無線受信装置によると、送信電力が弱くなった場合、信号の検波が不可能であり、またアンテナで受信した電波を常時増幅をおこなう無線受信装置では、常時増幅をおこなうため、消費電力が多くなり、電池の使用が困難になっていた。こうした問題点に鑑み、本発明は、アンテナで受信した電波を低消費電力で増幅を可能とする無線式受信装置を提供することを課題とする。
【０００４】
【課題を解決するための手段】
上記課題を解決するためになされた請求項１に記載の発明は，
操作スイッチを備え，該操作スイッチが操作されると，その後一定時間（Ｔ）内に，信号を複数回送信するよう構成された無線式送信部からの送信信号を受信する無線式受信装置であって，
前記無線式送信部からの送信信号を受信するアンテナと，
前記アンテナからの受信信号を増幅する増幅部と，
前記増幅部にて増幅された信号を検波して処理する信号処理部と，
前記一定時間（Ｔ）よりも短い間隔（Ｔ１）で定期的にパルス信号を発生する信号発生部と，
前記信号処理部及び信号発生部に電源供給を行う電池と，
前記信号発生部から前記パルス信号が出力されている期間，ＯＮ状態となって，前記電池から前記増幅部への電源供給を実施させる間欠式電源供給部と，
を備え，前記信号発生部が発生するパルス信号の長さ（Ｔ２）を，無線式送信部から前記信号が２回送信される時間以上に設定してなることを特徴とする。
【０００５】
【発明の実施の形態】
以下に、本発明を具体化した実施形態の１例を、図面を基に詳細に説明する。図１は実施例の斜視図、図２は無線式受信部の回路ブロック図、図３は無線式送信部の出力信号と無線式受信部の信号発生回路のパルス波形のタイミング図。
【０００６】
図２に示すように、無線式送信部１より送信された信号はアンテナ３にて取り込まれ、増幅部４により微小な信号が増幅され検波部５に伝達される。検波された信号はデータ処理部６に伝達され、ここで無線式送信部１からの信号が復調され、必要に応じてスピーカー７からアラーム音声やメロディーを出力する信号に変換をおこなう。一方増幅部４には、信号発生部８から定期的に発生する図３に示すようなパルス信号１２と同期してＯＮ／ＯＦＦする間欠電源供給部９から、パルス信号１２がＯＮの期間のみ電源を供給するよう構成されている。
【０００７】
この時の、無線式送信機１と無線式受信機２の信号のタイミングについて図３に基づいて詳細に説明する。無線式送信機１からの信号は、一定の時間Ｔに信号を複数個１１ａ、１１ｂ・・・・１１ｎ送信する。夫々の信号には、無線式送信機１のＩＤコードやアラーム音声もしくはメロディーのサブＩＤコード等が含まれており、複数個送信された信号のうち１つでも無線式受信部２で検波されれば、スピーカー７からアラーム音声やメロディーが出力される。無線式受信機２の信号発生部８から定期的に出力されるパルス信号１２は、間欠電源供給部９をコントロールし、パルス信号１２がＯＮの時、間欠電源供給部９をＯＮし、パルス信号１２がＯＦＦの時、間欠電源供給部９をＯＦＦし、増幅部４に給電する電源をＯＮ／ＯＦＦする。前記パルス信号１２の発生サイクルＴ１は、無線式送信機１からの信号が出る一定の時間Ｔより短く設定され、本実施例では、時間Ｔに対して、パルス信号１２が２回発生するように構成されている。また、無線式受信機２の信号発生部８から出力されるパルス信号１２の長さＴ２は、無線式送信機からの信号の長さに比べ長く設定され、本実施例では、当該パルス信号１つに、無線式送信機１からの信号が少なくとも２つ同期するよう構成されている。
【０００８】
この結果、本実施例では、無線式送信機１から１回送信された信号を、無線式受信部が受信するＴ時間内に、受信したタイミングに関係なく無線式受信機２の信号発生部８からは必ず２回パルス信号１２が出力されることになり、この２回のパルス信号１２が信号発生部８から出力される間に、上述のように、無線式送信機１からの信号のうち４つが、増幅部４がＯＮとなるタイミングと同期することになり増幅され、確実に当該信号の検波ができ、アラーム音声やメロディーが出力される。
【０００９】
このように、間欠的に増幅部４への給電を行うことで、消費電力を抑える事ができるとともに、無線式送信機１からの信号と無線受信装置２の信号発生部８のパルス信号１２を上記のようなタイミングにすることで、非同期でも確実に受信した信号を増幅でき、例えば間欠式電源供給部はトランジスターを用いたスイッチング回路で良いように、簡単な回路で低消費電力回路が実現でき、電池式の無線受信装置の電池寿命を延ばすことが出来る。
【００１０】
アルカリ乾電池を利用して従来方式と本実施例の電池寿命を比較した。電池は、単４乾電池２本直列を並列接続し３Ｖで使用。使用条件は、従来方式では、増幅部を２４時間ＯＮにし、１日２０回無線式送信機の操作スイッチをＯＮする。本実施例では、増幅部を２４時間、間欠的にＯＮ／ＯＦＦ させ、１日２０回無線式送信機の操作スイッチをＯＮする。この結果と乾電池の負荷特性とから、増幅部をＯＮにし続ける従来方式では概１７日、増幅部を間欠的にＯＮ／ＯＦＦさせる本発明では、概３６５日持つ計算となり、本発明の有効性は明確である。
尚、本発明は上記実施の形態に限定されるものではなく、本発明の趣旨を逸脱しない範囲でパルス信号の発生サイクルや長さ、回路構成を適宜に変更して実施することも可能である。
【００１１】
【発明の効果】
以上説明したように，本発明は，操作スイッチが操作されると，その後一定時間（Ｔ）内に，信号を複数回送信する無線式送信部からの送信信号を受信する無線式受信装置に関する発明である。
そして，本発明の無線式受信装置においては，信号発生部が，無線式送信部が信号を複数回送信する一定時間（Ｔ）よりも短い間隔（Ｔ１）で定期的にパルス信号を発生し，間欠式電源供給部が，信号発生部がパルス信号を発生している期間ＯＮ状態となって，電池から増幅部への電源供給を実施させる。
また，信号発生部が発生するパルス信号の長さ（Ｔ２）は，無線式送信部から信号が２回送信される時間以上に設定されている。
このため，本発明の無線式受信装置によれば，無線式送信部で操作スイッチが操作されて，無線式送信部から信号が複数回送信される一定時間（Ｔ）内に，間欠式電源供給部を介して電池から増幅部に必ず電源供給がなされ，増幅部が，無線式送信部から送信されてきた信号を増幅して，信号処理部に入力することになる。
また，間欠式電源供給部を介して電池から増幅部に電源供給がなされる１回当たりの時間は，信号発生部が発生するパルス信号の長さ（Ｔ２）で決まるが，この長さ（Ｔ２）は，無線式送信部から信号が２回送信される時間以上に設定されることから，間欠式電源供給部を介して電池から増幅部に電源供給がなされたときに，無線式送信部から信号が送信されていれば，増幅部にてその信号を確実に増幅して，信号処理部に入力することができる。
従って，本発明の無線受信装置によれば，間欠的に増幅部への給電を行うことで，消費電力を抑えて，電池の寿命を延ばすことができるだけでなく，信号発生部のパルス信号の発生間隔やその長さを上記のように設定することで，無線式送信部からの送信信号を確実に受信して処理することが可能となる。
【図面の簡単な説明】
【図１】  本実施例の斜視図を示す。
【図２】  無線式受信部の回路ブロックを示す。
【図３】  無線式送信機の出力信号並びに無線式受信部の信号発生部からのパルス信号のタイミング図を示す。
【符号の説明】
１…無線式送信部、２…無線式受信部、３…アンテナ、４…増幅部、５…検波部、６…データ処理部、７…スピーカー、８…信号発生部、９…間欠式電源供給部、１０…乾電池、１１ａ、１１ｂ・・・・１１ｎ…無線式送信機の出力信号、１２…信号発生部のパルス信号、２１…無線式受信部のパイロットランプ、２２…無線式送信装置のパイロットランプ、２３…操作スイッチ、Ｔ…無線式送信機の出力信号の出る時間、Ｔ１…パルス信号のサイクル、Ｔ２…パルス信号の長さ
【図１】
0004503888.tif 000002
【図２】
0004503888.tif 000003
【図３】
0004503888.tif 000004